(57)【要約】【課題】ブッシングとコードとの間に異物が侵入しても性能に影響が及ぶ虞が少ないヘッドホンを提供する。【解決手段】上記第１実施形態のヘッドホン１は、ドライバユニット４と、コード３と、ハウジング５と、ブッシング１３と、を備える。ドライバユニット４は、供給されたオーディオ信号に基づいて音波を発生させる。コード３は、オーディオ信号を外部からドライバユニット４に供給するためにドライバユニット４に接続される。ハウジング５は、ドライバユニット４を収容すると共に、コード３が挿入可能なコード挿入孔１０を有する。ブッシング１３は、コード３の外周面３ａを隙間ｇを空けて覆うことでコード３を屈曲による断線から保護するための筒体である。ブッシング１３は、コード挿入孔１０に取り付けられる。そして、ブッシング１３の内周面１３ａには、コード３の外周面３ａに対して環状に密着する密着部１７が形成されている。【選択図】図４
2012074850.tif 000002
【特許請求の範囲】
【請求項１】
供給されたオーディオ信号に基づいて音波を発生させる電気音響変換素子と、
前記オーディオ信号を外部から前記電気音響変換素子に供給するために前記電気音響変換素子に接続されるコードと、
前記電気音響変換素子を収容すると共に、前記コードが挿入可能なコード挿入孔を有するハウジングと、
前記コードの外周面を隙間を空けて覆うことで前記コードを屈曲による断線から保護するための筒体であって、前記コード挿入孔に取り付けられるブッシングと、
を備え、
前記ブッシングの内周面には、前記コードの前記外周面に対して環状に密着する密着部が形成されている、
ヘッドホン。
【請求項２】
請求項１に記載のヘッドホンであって、
前記ブッシングは、前記ハウジング内に収容されることで屈曲変形が禁止される屈曲変形禁止部と、前記ハウジングから露出することで屈曲変形が許容される屈曲変形許容部と、を含んでおり、
前記密着部は、前記ブッシングの前記屈曲変形禁止部に形成されている、
ヘッドホン。
【請求項３】
請求項２に記載のヘッドホンであって、
前記密着部は、前記ブッシングの前記電気音響変換素子側の端部に形成されている、
ヘッドホン。
【発明の詳細な説明】
【技術分野】
【０００１】
本発明はヘッドホンに関する。
【背景技術】
【０００２】
この種の技術として、特許文献１は、本体部と、本体部の内部に収められたスピーカユニットと、一端側がユニットに接続され本体部から外部に延出するコードと、そのコードを、本体部から延出する出口付近にて支持するブッシングと、を備えたイヤホンを開示している。
【先行技術文献】
【特許文献】
【０００３】
【特許文献１】特開２００１−３３３４８４号公報
【発明の概要】
【発明が解決しようとする課題】
【０００４】
一般に、上記のブッシングは、コード屈曲時における断線防止を目的として設けられている。また、コードを繰り返し屈曲させて断線に至るまでの屈曲回数で評価される所謂屈曲性能を向上させるべく、ブッシングとコードとの間には、一定の隙間が設けられている。
【０００５】
ところで、昨今、ジョギングに代表されるスポーツ活動中においてもイヤホンが利用されるようになってきている。このようなケースでは、ブッシングとコードとの間に、汗や水滴、ホコリなどの異物が侵入し、イヤホンの性能に悪影響を及ぼす虞がある。
【０００６】
本願発明の目的は、ブッシングとコードとの間に異物が侵入しても故障し難いヘッドホンを提供することにある。なお、本明細書において「ヘッドホン」と「イヤホン」は同義とする。
【課題を解決するための手段】
【０００７】
本願発明の観点によれば、ヘッドホンは、供給されたオーディオ信号に基づいて音波を発生させる電気音響変換素子と、前記オーディオ信号を外部から前記電気音響変換素子に供給するために前記電気音響変換素子に接続されるコードと、前記電気音響変換素子を収容すると共に、前記コードが挿入可能なコード挿入孔を有するハウジングと、前記コードの外周面を隙間を空けて覆うことで前記コードを屈曲による断線から保護するための筒体であって、前記コード挿入孔に取り付けられるブッシングと、を備える。前記ブッシングの内周面には、前記コードの前記外周面に対して環状に密着する密着部が形成されている。
好ましくは、前記ブッシングは、前記ハウジング内に収容されることで屈曲変形が禁止される屈曲変形禁止部と、前記ハウジングから露出することで屈曲変形が許容される屈曲変形許容部と、を含んでいる。前記密着部は、前記ブッシングの前記屈曲変形禁止部に形成されている。
好ましくは、前記密着部は、前記ブッシングの前記電気音響変換素子側の端部に形成されている。
【発明の効果】
【０００８】
本願発明によれば、前記ブッシングと前記コードとの間の前記隙間に汗や水滴、ホコリなどの異物が侵入しても、前記密着部の存在により、前記異物が前記電気音響変換素子に到達することがない。従って、前記ブッシングと前記コードとの間の前記隙間に汗や水滴、ホコリなどの異物が侵入しても、性能に影響が及ぶ虞が少ないヘッドホンが実現される。
【図面の簡単な説明】
【０００９】
【図１】図１は、ヘッドホンの斜視図である。（第１実施形態）
【図２】図２は、ヘッドホンユニットの分解斜視図である。（第１実施形態）
【図３】図３は、ヘッドホンユニットの側面断面図である。（第１実施形態）
【図４】図４は、図３の部分拡大図である。（第１実施形態）
【図５】図５は、図４の部分拡大図である。（第１実施形態）
【図６】図６は、図４の部分拡大図である。（第１実施形態）
【図７】図７は、図４の部分拡大図である。（第２実施形態）
【発明を実施するための形態】
【００１０】
以下、図１〜図６を参照しつつ、第１実施形態を説明する。
【００１１】
図１に示すように、本実施形態のヘッドホン１は、一対で使用されるものである。各ヘッドホン１は、ヘッドホン本体２とコード３によって構成されている。各ヘッドホン１のコード３は、図示しないプラグに接続されている。
【００１２】
図２及び図３に示すように、ヘッドホン本体２は、ドライバユニット４と、ハウジング５と、ブッシングユニット６と、イヤーピース７とを主たる構成として備えている。また、図１及び図３に示すコード３は、信号線としての芯線８とこの芯線を覆う皮膜９によって構成されている。
【００１３】
ドライバユニット４は、供給されたオーディオ信号に基づいて音波を発生させる電気音響変換素子である。ドライバユニット４には、コード３が接続されている。詳しくは、ドライバユニット４の端子４ａには、コード３の芯線８が半田付けされている。そして、オーディオ信号は、例えばオーディオ機器などの外部機器からコード３を介してドライバユニット４に供給される。
【００１４】
ハウジング５は、ドライバユニット４を収容すると共に、コード３が挿入可能なコード挿入孔１０を有する。詳しくは、ハウジング５は、鼓膜に近い側の前ハウジング１１と、鼓膜から遠い側の後ハウジング１２とによって構成されている。コード挿入孔１０は、前ハウジング１１と後ハウジング１２のちょうど境目に形成される。コード挿入孔１０には、ブッシング１３（後述）が挿入される。
【００１５】
ブッシングユニット６は、図２に示すように、ブッシング１３と、リング１４とを含む。
【００１６】
ブッシング１３は、図３に示すように、コード３の外周面３ａを隙間ｇを空けて覆うことでコード３を屈曲による断線から保護するための筒体である。コード３の外周面３ａは、コード３の皮膜９の外周面に相当する。
【００１７】
ブッシング１３は、ハウジング５のコード挿入孔１０に取り付けられている。詳しくは、ブッシング１３は、一部がハウジング５のコード挿入孔１０内に嵌め込まれている。
【００１８】
ブッシング１３は、例えばエラストマーによって形成されている。これにより、ブッシング１３は、可撓性を有する。
【００１９】
ブッシング１３は、図４に示すように、屈曲変形禁止部１５と、屈曲変形許容部１６とを含む。この屈曲変形禁止部１５と屈曲変形許容部１６とは、ブッシング１３単体で形状的に区別されなくてもよく、少なくともブッシング１３をハウジング５に装着した状態で区別され得る部位である。具体的には以下のとおりである。
【００２０】
屈曲変形禁止部１５は、ハウジング５内に収容されることで屈曲変形が禁止される部分である。ここで言う「ハウジング５に収容された屈曲変形禁止部１５」とは、完全被収容部分１５ａと、コード挿入孔内部分１５ｂとを含む。完全被収容部分１５ａは、ハウジング５内に完全に収容される部分である。完全被収容部分１５ａは、コード挿入孔内部分１５ｂよりもブッシング１３の径方向に若干太く形成されており、ハウジング５からのブッシング１３の抜け止めの機能を発揮する。併せて、完全被収容部分１５ａは、筒体のブッシング１３が回転するのを防ぐ機能も発揮する。コード挿入孔内部分１５ｂは、コード挿入孔１０内に位置する部分である。コード挿入孔内部分１５ｂの外周面１５ｃとコード挿入孔１０の内周面１０ａとの間には、積極的（意図的）な隙間は設けられていない。しかし、後述する第２実施形態のように、コード挿入孔内部分１５ｂの外周面１５ｃとコード挿入孔１０の内周面１０ａとの間には、部分的にであれば積極的な隙間を設けてもよい。
【００２１】
屈曲変形許容部１６は、ハウジング５から露出することで屈曲変形が許容される部分である。
【００２２】
そして、本実施形態において、ブッシング１３の内周面１３ａには、密着部１７が形成されている。密着部１７は、コード３の外周面３ａに対して環状に密着するものである。密着部１７は、ブッシング１３の屈曲変形禁止部１５に形成されている。密着部１７は、ブッシング１３の屈曲変形禁止部１５の完全被収容部分１５ａに形成されている。密着部１７は、ブッシング１３のドライバユニット４側の端部としての奥側端部１３ｂ（第１端部）に形成されている。
【００２３】
密着部１７は、ブッシング１３の内周面１３ａに接続し、ブッシング１３の内周面１３ａからコード３の中心軸Cに向かって突出して環状に形成されている。密着部１７の内径は、コード３の外周面３ａの外径と同じに、若しくは若干小さく設定される。
【００２４】
密着部１７は、コード対向面１８とキャビティ面１９、ガイド面２０を有している。コード対向面１８は、コード３の外周面３ａに対して平行となるように形成された面である。キャビティ面１９は、ドライバユニット４とハウジング５との間の空間としてのバックキャビティ２１側を向く面である。ガイド面２０は、ブッシング１３の奥側端部１３ｂとは反対側の端部としての露出端部１３ｃ（第２端部、図３参照）から離れるにつれて窄まるように傾斜して形成されている。換言すれば、ガイド面２０は、結びコブ２２（図３参照）に近づくにつれて窄まるように傾斜して形成されている。
【００２５】
リング１４は、図２に示すように、環状に形成されている。リング１４は、ブッシング１３と一体形成されている。リング１４は、ハウジング５の前ハウジング１１と後ハウジング１２に挟まれることで、ハウジング５に保持される。
【００２６】
イヤーピース７は、図３に示すようにハウジング５の前ハウジング１１に取り付けられる。
【００２７】
（組み立て方法）
以下に説明する各部材の組み立てにおいて、固定方法については接着や溶着など周知の方法を採用することができる。
【００２８】
上述した構成のヘッドホン１を組み立てるには、図２に示す状態で、ハウジング５の前ハウジング１１にドライバユニット４を取り付ける。
【００２９】
また、図３に示すブッシングユニット６のブッシング１３内にコード３を露出端部１３ｃから奥側端部１３ｂに向かって挿入する。そして、ブッシング１３の奥側端部１３ｂから露出したコード３の先端に結びコブ２２を作ると共に、コード３の芯線８を皮膜９から若干露出させる。
【００３０】
次に、ブッシングユニット６をハウジング５の後ハウジング１２に取り付ける。この状態で、コード３の各芯線８をドライバユニット４の各端子４ａに半田付けする。
【００３１】
そして、ハウジング５の前ハウジング１１と後ハウジング１２でブッシングユニット６を挟み込むように、ブッシングユニット６をハウジング５の前ハウジング１１に取り付ける。最後に、ハウジング５の前ハウジング１１にイヤーピース７を取り付け、ヘッドホン１が完成する。このときの取り付け方法としては、イヤーピース７をハウジング５の前ハウジング１１の外側に単に嵌め合わせることで着脱可能としている。
【００３２】
なお、図５では、ブッシング１３の密着部１７がコード３の外周面３ａに対して強力に接触している様子が示されている。図５の例では、密着部１７が若干、キャビティ面１９側に倒れるように弾性変形している。図６にも、ブッシング１３の密着部１７がコード３の外周面３ａに対して強力に接触している様子が示されている。図６の例では、密着部１７が若干、ガイド面２０側に倒れるように弾性変形している。
【００３３】
以下、寸法例を説明する。図３に示すコード３の外径は１．４ｍｍである。図４に示すブッシング１３の内周面１３ａの内径は１．７ｍｍである。図４に示す密着部１７のコード対向面１８の内径は１．３ｍｍである。従って、図４に示す隙間ｇの厚みは（１．７−１．３）／２＝０．２ｍｍである。また、密着部１７の内径は、コード３の外径よりも（１．４−１．３）＝０．１ｍｍ狭くなるように設定されている。
【００３４】
以上に本願発明の好適な第１実施形態を説明した。上記の第１実施形態は、要するに、以下の特長を有している。
【００３５】
即ち、上記第１実施形態のヘッドホン１は、図１〜図４に示すように、ドライバユニット４（電気音響変換素子）と、コード３と、ハウジング５と、ブッシング１３と、を備える。ドライバユニット４は、供給されたオーディオ信号に基づいて音波を発生させる。コード３は、オーディオ信号を外部からドライバユニット４に供給するためにドライバユニット４に接続される。ハウジング５は、ドライバユニット４を収容すると共に、コード３が挿入可能なコード挿入孔１０を有する。ブッシング１３は、コード３の外周面３ａを隙間ｇを空けて覆うことでコード３を屈曲による断線から保護するための筒体である。ブッシング１３は、コード挿入孔１０に取り付けられる。そして、ブッシング１３の内周面１３ａには、コード３の外周面３ａに対して環状に密着する密着部１７が形成されている。
以上の構成によれば、ブッシング１３とコード３との間の隙間ｇに汗や水滴、ホコリなどの異物が侵入しても、密着部１７の存在により、異物がドライバユニット４やバックキャビティ２１内に到達することはない。従って、ブッシング１３とコード３との間の隙間ｇに汗や水滴、ホコリなどの異物が侵入しても、性能に影響が及ぶ虞が少ないヘッドホン１が実現される。
なお、ヘッドホン１のコード３は、周知の通り、他の分野のコードと比較して極めて高い可撓性を有している。従って、ブッシング１３の内周面１３ａに密着部１７を設けると、コード３をブッシング１３内に通すときにコード３が密着部１７に引っ掛かって甚だ邪魔である。つまり、ブッシング１３の内周面１３ａに密着部１７を設ける構成は、組み立て作業性を著しく低下させるという理由から、本願出願時の技術常識に反するものであることを付言しておく。
【００３６】
また、ブッシング１３は、ハウジング５内に収容されることで屈曲変形が禁止される屈曲変形禁止部１５と、ハウジング５から露出することで屈曲変形が許容される屈曲変形許容部１６と、を含んでいる。密着部１７は、ブッシング１３の屈曲変形禁止部１５に形成されている。
以上の構成によれば、ブッシング１３の屈曲変形許容部１６が屈曲変形した際の、コード３の外周面３ａに対する密着部１７の密着性が低下し難い。また、ブッシング１３の屈曲変形許容部１６が屈曲変形した際の密着部１７自体の変形が抑制され、もって、密着部１７自体の経年劣化を抑制することができる。従って、ブッシング１３とコード３との間の隙間ｇに汗や水滴、ホコリなどの異物が侵入しても、上述した異物侵入防止機能により、一層性能に影響が及ぶ虞が少ないヘッドホン１が実現される。
【００３７】
また、密着部１７は、図３及び図４に示すように、ブッシング１３のドライバユニット４側の端部としての奥側端部１３ｂ（第１端部）に形成されていることが好ましい。
即ち、ブッシング１３の奥側端部１３ｂとは反対側の端部としての露出端部１３ｃ（第２端部）から奥側端部１３ｂに向かってコード３をブッシング１３内に挿入するに際し、コード３が密着部１７に引っ掛かってうまく挿入できない場合がある。そこで、以上の構成によれば、例え、コード３が密着部１７に引っ掛かってしまったとしても、密着部１７がブッシング１３の奥側端部１３ｂに形成されているので、コード３の挿入方向先端をブッシング１３の奥側端部１３ｂ側から摘んで引っ張り出すことが可能となる。また、密着部１７のガイド面２０は、コード３の挿入方向において窄まるように傾斜して形成されている。従って、以上の構成は、密着部１７を備えたヘッドホン１の組み立て作業性の改善に寄与する。
【００３８】
また、コード３は、図３に示すように、ブッシング１３から出て、ドライバユニット４とハウジング５との間の空間としてのバックキャビティ２１内を通過し、ドライバユニット４に至る。
以上の構成によれば、密着部１７をブッシング１３の何処に形成するかによって、バックキャビティ２１の形状が少なからず変わることになる。これに対し、前述した『密着部１７は、ブッシング１３の奥側端部１３ｂに形成される』構成は、以下のような効果を発揮する。即ち、密着部１７がブッシング１３の奥側端部１３ｂに形成されているので、バックキャビティ２１がブッシング１３内の奥深くまで延長されることはない。別の言葉で言えば、バックキャビティ２１の形状がまとまりある形状になると言える。このことは、ヘッドホン１の音響設計を容易にする効果がある。
【００３９】
上記の第１実施形態は、以下のように変更することができる。
【００４０】
即ち、例えば、ブッシングユニット６のリング１４は、必須の構成ではなく、省略してもよい。
【００４１】
また、密着部１７のガイド面２０は、結びコブ２２へ近づくにつれて窄まるように傾斜して形成されるとしたが、これに代えて、結びコブ２２から離れるにつれて窄まるように傾斜して形成してもよい。ただし、ブッシング１３にコード３を挿通する作業の容易性の観点から前者の形状の方が望ましい。
【００４２】
（第２実施形態）
次に、図７を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。なお、説明の便宜上、図７ではハッチングを省略している。
【００４３】
本実施形態において、ハウジング５のコード挿入孔１０を取り囲むハウジング５の周縁部５ａにはRが付されている。詳しくは、ハウジング５の周縁部５ａは、上端部５ｂと下端部５ｃを有する。ハウジング５の周縁部５ａの上端部５ｂは、ブッシング１３の外周面１３ｄに対して密着している。ハウジング５の周縁部５ａの下端部５ｃは、ブッシング１３の外周面１３ｄに対して密着していない。ハウジング５の周縁部５ａの下端部５ｃと、ブッシング１３の外周面１３ｄと、の間には隙間ｈが形成されている。
【００４４】
図７において、屈曲変形禁止部１５は、ハウジング５内に収容されることで屈曲変形が禁止される部分である。ここで言う「ハウジング５に収容された屈曲変形禁止部１５」とは、完全被収容部分１５ａと、コード挿入孔内部分１５ｂとを含む。完全被収容部分１５ａは、ハウジング５内に完全に収容される部分である。コード挿入孔内部分１５ｂは、コード挿入孔１０内に位置する部分である。図７においてコード挿入孔内部分１５ｂを二点鎖線でイメージしている。コード挿入孔内部分１５ｂの外周面１５ｃとコード挿入孔１０の内周面１０ａとの間には、積極的（意図的）な隙間は設けられていない。
【００４５】
屈曲変形許容部１６は、ハウジング５から露出することで屈曲変形が許容される部分である。ここで言う「ハウジング５から露出した屈曲変形許容部１６」とは、完全露出部分１６ａと、コード挿入孔内部分１６ｂとを含む。完全露出部分１６ａは、ハウジング５から完全に露出している部分である。即ち、完全露出部分１６ａは、ハウジング５によっては全く覆われていない。一方、コード挿入孔内部分１６ｂは、コード挿入孔１０内に位置する部分である。図７においてコード挿入孔内部分１６ｂを二点鎖線でイメージしている。コード挿入孔内部分１６ｂの外周面１６ｃとコード挿入孔１０の内周面１０ａとの間には、積極的（意図的）な上記隙間ｈが存在している。
【００４６】
要するに、本実施形態において屈曲変形禁止部１５と屈曲変形許容部１６の境界は、ブッシング１３の外周面１３ｄとコード挿入孔１０の内周面１０ａとの間に形成されている積極的（意図的）な隙間ｈの有無に着目して定めるものとする。
【符号の説明】
【００４７】
１  ヘッドホン
２  ヘッドホン本体
３  コード
４  ドライバユニット
５  ハウジング
６  ブッシングユニット
７  イヤーピース
８  芯線
９  皮膜
１０  コード挿入孔
１０ａ  内周面
１１  前ハウジング
１２  後ハウジング
１３  ブッシング
１４  リング
１５  屈曲変形禁止部
１６  屈曲変形許容部
１７  密着部
【図１】
2012074850.tif 000003
【図２】
2012074850.tif 000004
【図３】
2012074850.tif 000005
【図４】
2012074850.tif 000006
【図５】
2012074850.tif 000007
【図６】
2012074850.tif 000008
【図７】
2012074850.tif 000009